(57)【要約】  本発明は、フォトニック及び電子アプリケーションのための織物に関し、特に、織物に接続される電子コンポーネント、例えば発光ダイオードを駆動するため、電気伝導糸から形成される多層織物に関する。発光ダイオードは、可撓性及び折り畳み可能なディスプレイを実現するために、配列の形態で配置され得る。本発明による織物において、電気伝導経糸１１１が絶縁緯糸１４１によって、部分的にカバーされるように、絶縁緯糸は多層経糸１０５に織り合わされ、これによって、織物の電気伝導糸の間の短絡を防ぐ。特に、本発明による織物の構造は、サテン／綿繻子織り構造であり得る。
2011501787.tif 000002
【特許請求の範囲】
【請求項１】
経糸方向及び緯糸方向に沿って配置される、織り合わされた電気伝導糸及び絶縁糸から形成される織物であって、
少なくとも一つの電気絶縁糸によってお互いから電気的に切り離される電気伝導糸の第１層、電気絶縁糸の第２層、並びに前記第１層及び前記第２層の間に配置される電気絶縁糸の第３層を有する多層経糸と、
少なくとも一つの電気絶縁緯糸によって電気的に互いに分離される、前記第１表面と交差して前記第１層の電気伝導経糸をカバーする電気伝導緯糸からなる緯糸と
を有し、前記第１層及び前記第２層が、それぞれ前記多層経糸の第１表面及び第２表面を規定する、織物。
【請求項２】
前記電気伝導緯糸のうちの少なくとも１つが、前記多層経糸の前記第１及び第２表面の間で織り合わされ、前記第１層及び第２層のうちの少なくとも１つの選択された経糸の周りに配置されるループによって、それぞれ前記第１表面及び第２表面のうちの少なくとも一つと交差する、請求項１に記載の織物。
【請求項３】
前記第２層が、前記第２層の前記電気絶縁糸の少なくとも１つによって、お互いから電気的に切り離される電気伝導糸を更に有し、前記少なくとも一つの電気絶縁緯糸は、前記第２表面と交差し、前記第２層の電気伝導経糸をカバーする、請求項１又は２に記載の織物。
【請求項４】
前記第１及び第２層のうちの少なくとも一つの前記選択された経糸が電気絶縁性であり、これにより、前記多層経糸の各層における少なくとも１つの絶縁性経糸によって前記第１及び第２層の電気伝導経糸からそれぞれ電気的に切り離される第１電気接続ゾーンを、前記ループによって規定し、前記第１及び第２層の前記少なくとも１つの隣接する電気伝導経糸において、それぞれ第２接続ゾーンを規定する、請求項２又は３に記載の織物。
【請求項５】
少なくとも一つの電子コンポーネントが、前記第１又は第２表面の前記第１及び第２電気接続ゾーンを介して前記織物に接続される、請求項４に記載の織物。
【請求項６】
前記電子コンポーネントは、センサ、アクチュエータ、集積回路及び光電式装置からなるグループのうちの少なくとも一つのコンポーネントである、請求項５に記載の織物。
【請求項７】
前記電子コンポーネントが、発光ダイオードである、請求項５又は６に記載の織物。
【請求項８】
複数の電子コンポーネントが、前記第１及び第２表面のうちの少なくとも一つにおいて、前記第１及び第２接続ゾーンを介してつながれ、前記電子コンポーネントが、配列の形態で配置される、請求項４乃至７のいずれか一項に記載の織物。
【請求項９】
前記配列は、個々にアドレス指定可能な電子コンポーネントのマトリクスを備える、請求項８に記載の織物。
【請求項１０】
前記電子コンポーネントと電気接続し、リモート通信するため、織られた導電性糸を含む無線周波数アンテナを更に有する、請求項５乃至９のいずれか一項に記載の織物。
【請求項１１】
前記選択された経糸が、電気伝導性であり、これによって、前記織物に交差点又はビア接続を形成する、請求項２又は３に記載の織物。
【請求項１２】
前記少なくとも一つの絶縁緯糸の各々が、前記第１及び第２層の少なくとも一つのいくつかの隣接する経糸をカバーし、これによって、フロートを形成する、請求項１乃至１１のいずれか一項に記載の織物。
【請求項１３】
前記経糸及び緯糸により形成される構造が、サテン又は綿繻子織り構造であり、前記絶縁緯糸のいくつかのみが電気伝導経糸をカバーし、これによって、第１及び／又は第２層の電気伝導糸の第２電気接続ゾーンを規定する、請求項１乃至１２のいずれか一項に記載の織物。
【発明の詳細な説明】
【技術分野】
【０００１】
本発明は、フォトニック及び電子アプリケーションのための織物に関する。特に本発明は、織物に接続される発光ダイオードのような電気コンポーネントを駆動するため、電気伝導糸からなる多層織物に関する。
【背景技術】
【０００２】
多くの種類の織物が、我々の毎日の生活において、既に使用されており、現在エレクトロニクスがこれらの織物に組み込まれ、これらの織物に対する新たな応用分野が現れている。例えば発光ダイオード（ＬＥＤ）を含む布地のようなフォトニック織物は、雰囲気作りの照明からメッセージ発信に至るまで、広範囲に渡る新たなインテリア及び服飾用途に広がる。いわゆる表面実装型デバイスとして利用可能な非常にコンパクトな低出力ＬＥＤパッケージは、例えば接着、スナップボタン接続、又はステッチによって、織物に取り付けられ得る。これは、有利なことに、例えば折り畳み可能及び可撓性の新たなタイプのディスプレイを提供する。
【０００３】
この種のディスプレイの布地基板は、通常、電子コンポーネントが接続される電子回路を構築するため、織り合わされるか、又は刺繍される電気伝導及び非導電糸からなる。例えば国際特許公開公報ＷＯ２００６／１２９２７２は、多層に織られた布地ディスプレイを開示し、この布地は、この布地に接続される電子コンポーネント（ＬＥＤ）に電流を流すために、上位層及び下位層に絶縁されていない導電性糸を有し、この電子コンポーネントの各々は、ディスプレイのピクセルに対応する。絶縁されていない導電性糸の使用は、電子コンポーネントの布地への接続及び布地の上位層と下位層との間のビア接続の実現を容易にするので、有利である。しかしながら、導電性糸が絶縁されていないので、例えば布地が折りたたまれるか、又はしわにされるとき、短絡が生じ得る。布地のアドレス指定線の間の短絡は、織物により表示される色を変更し得、これは望ましくない。
【０００４】
電気短絡の問題を克服するため、外側に絶縁層を有する電気伝導糸（絶縁された電気伝導糸）が使用され得る。しかしながら、この代替例は、電子コンポーネントを布地に接続するために、結果として外側の絶縁層を除去する必要があり、これは、装置の製造ルーチンに付加的な処理ステップを追加し、この間、絶縁コーティングの除去に必要とされ得る化学薬品及び／又は高温の存在によって、周囲の糸も損傷され得るので、扱いにくい。
【０００５】
したがって、好ましい織物は、電子コンポーネントの電気伝導糸への容易な接続、及びビア接続の容易な実現の利点を提供し、同時に短絡のリスクを低下させる織物であろう。
【０００６】
このように、これらの問題のいくつかを解決する、改良された織物構造を提供するニーズが存在する。
【発明の概要】
【発明が解決しようとする課題】
【０００７】
本発明の目的は、従来技術の上記の不利な点及び欠点を全体として、又は部分的に解決すること、及び改善された多層織物を提供することである。
【課題を解決するための手段】
【０００８】
本発明は、フォトニック及び電子アプリケーション、例えば折り畳み可能及び可撓性ディスプレイのための多層織物を提供する。織物の短絡のリスクを低下させることによって、ディスプレイの性能は、安定になり、例えば織物材料に対する曲げ、せん断、及び応力が併発し得る折り畳み又はしわを作るような機械的な変形に対して影響されにくくなる。
【０００９】
したがって、本発明の第１の態様によると、縦糸方向及び緯糸方向に沿って配置される織り合わされた電気伝導及び絶縁糸、又は繊維若しくは紐（strike）からなる織物が提供される。織物は、少なくとも一つの電気絶縁糸によって、互いから電気的に切り離される電気伝導糸の第１層と、電気絶縁糸の第２層と、第１層と第２層との間に配置される電気絶縁糸の第３層と有する多層経糸を含む。第１及び第２層は、それぞれ多層経糸の第１表面及び第２表面を規定する。織物は、少なくとも一つの電気絶縁緯糸によって、互いから電気的に切り離される電気伝導緯糸からなる緯糸を更に含む。電気絶縁緯糸のうちの少なくとも１つは、第１表面と交差し、第１層の電気伝導経糸をカバーする。
【００１０】
本発明は、織物の外側にさらされる織物の導電性経糸又は緯糸が、長いフロート（float）によって、それぞれ絶縁性緯糸又は経糸によりカバーされ得るという洞察に基づく。絶縁性糸は、布地に面する露出した導電性糸を部分的にカバーするため、多層構造で織り合わされる。
【００１１】
本発明の利点は、第１層の電気伝導経糸が絶縁緯糸によって、部分的にカバーされるので、例えば、曲げ、よじれ、折れ、又はしわをつくる場合の短絡のリスクが低下されることである。絶縁性緯糸が導電性糸の経糸をカバーしていない、又は絶縁性経糸が導電性緯糸をカバーしていない領域は、電子コンポーネントの接続に使用され得、それによって、コンポーネントのアセンブリの後、完全に電気的に単離された表面となる。
【００１２】
電気絶縁糸の織り合わせは、織物の第１表面において、絶縁フロートを提供し、これによって、第１層の電気伝導糸が短絡することを防止する。
【００１３】
本発明の他の利点は、導電性糸が絶縁されていないとき、すなわちコンポーネントの接続の前に糸の外側の層を除去する必要がないとき、織物が電子コンポーネントの接続を容易にすることである。
【００１４】
本発明の他の利点は、経糸の導電性糸と緯糸の導電性糸との間の電気的接触が物理的接触によって容易に行われるので、織物の１つの表面から他の表面への交差点又はビア接続の作成若しくは実現が容易にされることである。高度な構造に対しても、導電性糸の更なる処理は、必要とされない。
【００１５】
一実施例によると、少なくとも一つの導電性緯糸が、多層縦糸の第１及び第２表面の間に織り合わされ、それぞれ、第１及び第２層のうちの少なくとも１つの選択された経糸周辺に配置されるループによって、第１及び第２表面のうちの少なくとも１つと交差する。
【００１６】
一実施例によると、多層経糸の第２層は、導電性糸を含み得、電子コンポーネントが織物の両側に接続され得るので、両面ディスプレイを形成することが可能となる。本実施例において、電気絶縁緯糸を織り合わせることは、電気伝導緯糸と電気伝導経糸との間、複数の層のうちの１つの電気伝導経糸の間、及び第１層の電気伝導経糸と第２層の電気伝導経糸との間において、短絡することを回避する。更に、第１層の電気伝導緯糸と第２層の電気伝導経糸との間の短絡は、電気絶縁糸からなる第３層により回避される。
【００１７】
一実施例によると、第１及び第２層のうちの少なくとも一方の選択された経糸が電気的に絶縁性であり、これより、ループによって、多層経糸の各層の少なくとも１つの絶縁性経糸によって、それぞれ第１層及び第２層の導電性経糸から電気的に切り離される第１電気接続ゾーンを規定する。更に、第２接続ゾーンは、それぞれ第１及び第２層のうちの少なくとも一方の隣接する導電性経糸において、規定される。このように、選択された経糸が絶縁される場合、第１及び第２電気接続ゾーンは、多層経糸の面のうちの少なくとも一方において規定される。
【００１８】
他の実施例によると、選択された経糸は、電気伝導性であり、これによって、織物にビアを形成する。交差点は、電気伝導緯糸が電気伝導経糸の周りにループを形成する点であり、これによって、電気伝導経糸及び緯糸の間で電気的接触を形成する。これらの電気伝導交差点は、ドライバ装置からの電流を電子コンポーネントが取り付けられる織物の領域の電気伝導糸に向けるか、又は導くために使用され得る。
【００１９】
一実施例によると、少なくとも一つの電子コンポーネントは、第１及び第２層のうちの一方又は両方の第１及び第２電気接続ゾーンを介して接続される。このようなコンポーネントは、センサ、アクチュエータ、集積回路、又は光電子装置、例えば発光ダイオードであり得る。代替として、複数の電子コンポーネントが、織物に接続され得、配列又はマトリクスの形態で配置され得、これによって、ディスプレイを形成する。配列の電子コンポーネントの各々は、アドレス指定線、すなわち電気信号を織物の特定のコンポーネント又は織物の特定の領域に伝達する機能をもつ導電性糸によって、アドレス指定可能であり得る。アドレス指定線への接続、及びアドレス指定線間の接続は、交差点により実行され得る。更に、織物は、電子コンポーネントと電気的に接続して、リモート接続するための、織られた導電性糸からなる無線周波数アンテナも有し得る。
【００２０】
一実施例によると、絶縁性緯糸の各々は、第１及び第２層のうちの少なくとも一方のいくつかの隣接した経糸をカバーし、これによって、フロートを形成する。特に緯糸は、平織り構造と結合される織物全体又は織物の一部に対して、サテン又は綿繻子織り構造に従って、多層経糸と織り交ぜられ得る。綿繻子／サテン織り構造において、絶縁緯糸のいくつかは、導電性経糸をカバーすることなく、第１表面及び第２表面内で織り合わされ、これによって、第１又は第２層の導電性糸の電気接続ゾーンを規定する。
【００２１】
本発明の更なる目的、特徴、及び利点は、以下の詳細な開示、図面及び添付の請求の範囲を読むことにより明らかになるであろう。当業者は、本発明の異なる特徴が、以下に記載される以外の実施例を行うために組み合わされ得ることを理解するであろう。
【００２２】
上記は、本発明の更なる目的、特徴及び効果と同様に、以下の詳細な説明及び図示された図面によって、よりよく理解されるだろう。
【図面の簡単な説明】
【００２３】
【図１】図１は、本発明の一実施例による、多層経糸における導電性緯糸の織り合わせを図示する織物の断面図を示す。
【図２】図２は、本発明の一実施例による、多層経糸における絶縁性緯糸の織り合わせを図示する織物の断面図を示し、この実施例は、図１に示される実施例と組み合わせて使用され得る。
【図３】図３は、本発明の他の実施例による、多層経糸における導電性緯糸の織り合わせを図示する織物の断面図を示す。
【図４】図４は、本発明の一実施例による、多層経糸における絶縁性緯糸の織り合わせを図示する織物の断面図を示し、この実施例は、図３に示される実施例と組み合わせて使用され得る。
【図５】図５は、本発明の他の実施例による、多層経糸における導電性緯糸の織り合わせを図示する織物の断面図を示す。
【図６】図６は、本発明の一実施例による、多層経糸における絶縁性緯糸の織り合わせを図示する織物の断面図を示し、この実施例は、図５に示される実施例と組み合わせて使用され得る。
【図７】図７は、本発明の他の実施例による、多層経糸における導電性緯糸の織り合わせを図示する織物の断面図を示す。
【図８】図８は、本発明の一実施例による、織物の概略の上面図を示し、この織物の構造は、サテン又は綿繻子である。
【発明を実施するための形態】
【００２４】
図１に関して、本発明の第１実施例が、後述されるであろう。
【００２５】
図１は、多層経糸１０５における導電性緯糸１４０の織り合わせを図示する織物１００の断面図を示す。織物（又は布地）１００の多層経糸１０５は、第１層１１０と、第２層１２０と、第１層１１０及び第２層１２０の間に配置される第３層１３０とを備える。第１、第２及び第３層１１０、１２０及び１３０の糸１１１及び１１２は、いわゆる経糸方向に沿って配置され、これによって、多層経糸１０５を規定する。第１層１１０は、少なくとも一つの電気絶縁糸１１２によって、各々から電気的に隔離される電気伝導糸１１１を有する。本実施例において、第１層１１０の２つの隣接する電気伝導経糸１１１は、３つの電気絶縁経糸１１２によって、電気的に分離される。第２及び第３層１２０及び１３０は、電気絶縁糸１２２及び１３２からなる。第１層１１０及び第２層１２０は、それぞれ多層経糸１０５の第１表面１０１及び第２表面１０２を規定する。
【００２６】
織物１００も、（図２にも示される）少なくとも一つの絶縁緯糸１４１によって、各々から電気的に切り離される電気伝導糸１４０を含む緯糸を有する。緯糸は、経糸方向と異なるいわゆる緯糸方向に沿って配置される。例えば緯糸及び経糸方向は、各々に対して直交され得る。しかしながら、いかなる角度も、これらの２つの方向の間に形成され得る。電気伝導緯糸１４０は、多層経糸１０５の糸の範囲内の第１表面１０１と第２表面１０２との間において織り合わされ、第１層１１０の選択された経糸Ｘ周辺に位置されるループ１４５によって、第１表面１０１と交差する。
【００２７】
図２は、本発明の一実施例による、多層経糸１０５における絶縁緯糸１４１の織り合わせを例示する織物１００の断面図を示し、この実施例は、図１に関して記載される実施例と組み合わせて使用され得る。しかしながら、図１に関して記載される実施例の絶縁緯糸が図２に示される態様とは異なる態様で織り合わせられ得ることは、留意されるべきである。少なくとも、電気絶縁緯糸１４１のいくつかは、多層経糸１０５の第１表面１０１と交差し、例えば織物をシワにするとき、第１層１１０の電気伝導経糸１１１の相互の間、及び電気伝導経糸１１１と多層経糸１０５の第２表面１０２に位置される電気伝導緯糸１４０のゾーンとの間の短絡を回避するため、第１層１１０の電気伝導経糸１１１をカバーする。しかしながら、コンポーネントは、通常、第２表面１０２に位置される電気伝導緯糸１４０のゾーンに取り付けられ、これによって、これらの位置での短絡を回避する。図１及び２に示される実施例において、電気絶縁緯糸の全ては、電気伝導経糸をカバーする。
【００２８】
（図１及び２に示される）本実施例において、選択された経糸Ｘは、第１層１１０の電気絶縁経糸１１２のうちの１つであり、これによって、ループ１４５により、多層経糸１０５（又は織物１００）の第１表面１０１における第１電気接続ゾーン１１４を規定する。第１電気接続ゾーン１１４は、少なくとも一つの絶縁経糸１１２によって、第１層１１０の電気伝導経糸１１１から電気的に切り離され、これによって、第１層１１０の隣接した電気伝導経糸１１１において、第２電気接続ゾーン１１５を規定する。第２の電気接続ゾーン１１５は、絶縁緯糸１４１によって、お互いから電気的に切り離される。絶縁性緯糸のいくつかが電気伝導経糸をカバーしさえすれば、第２電気接続ゾーンを形成することも可能であり、これは後で図８を参照して後述されるであろう。本実施例において、絶縁緯糸１４１は、多層経糸１０５の第１表面１０１と交差し、第１層１１０の３つの隣接する経糸をカバーして、これによって、フロートを形成する。３つの隣接する経糸は、２つの電気絶縁経糸１１２の間に配置される１つの電気伝導糸１１１を含む。しかしながら、電気絶縁緯糸１４１が、絶縁経糸ではなく、第１層１１０の電気伝導経糸のみをカバーするように織り合わされ得ることは、留意されるべきである。同様に、電気絶縁緯糸１４１を織り合わせることは、この隣接する電気絶縁緯糸の織り合わせとは異なるようになり得る。隣接する絶縁緯糸の織り合わせが互いに異なる実施例、及び電気伝導経糸が絶縁緯糸によって部分的にカバーされる例は、図８を参照して記載されるであろう。
【００２９】
電子コンポーネント、例えばセンサ、アクチュエータ、集積回路及び／又は光電式装置は、多層経糸１０５の第１表面１１０における第１及び第２電気接続ゾーン１１４及び１１５を介して織物１００に接続され得る。特に電子コンポーネントは、発光ダイオードであり得る。好ましい実施例において、電子コンポーネント又は発光ダイオードは、配列又はマトリクスの形態で配置され、これによって、ディスプレイを実現する。コンポーネントの各々は、（織物の電気伝導経糸である）アドレス指定線によって、個々にアドレス指定可能で有り得、ディスプレイの１ピクセルに対応し得る。更に、織物は、電子コンポーネントと電気的に接続され、リモート通信するために織り合わされた導電性糸を含む無線周波数アンテナを含み得る。
【００３０】
図３に関して、本発明の他の実施例は、後述されるであろう。
【００３１】
図３は、織物３００の多層経糸３０５の電気伝導緯糸３４０の織り合わせを図示する織物３００の断面図を示す。第１層３１０の電気伝導経糸３１１が１つの電気絶縁経糸３１２のみによって、互いから電気的に隔離されることを除いて、織物３００は、図１及び２に関して記載される織物１００と等価のものである。織物３００は、多層経糸の第１表面３０１を規定する第１層３１０と、多層経糸の第２表面３０２を規定する第２層と、第１層及び第２層３１０及び３２０の間に位置される第３層３３０とを有する多層経糸３０５を有する。電気伝導緯糸３４０は、第１及び第２表面３０１及び３０２の間で織り合わされ、第１層３１０の選択された経糸Ｙの周りに配置されるリング３４５によって、第１表面３０１と交差する。本実施例において、選択された経糸Ｙは、電気伝導性であり、これによって、織物の交差点３１４を規定する。この交差点３１４は、電気伝導緯糸３４０を介してある電気伝導糸Ｖ１から他の電気伝導糸Ｖ２に信号若しくは電流を伝達するため、又は織物３００の異なる領域に位置される２又はそれより多くの電気伝導経糸Ｖ１及びＶ２において、同じポテンシャルを維持するために使用され得る。交差点３１４は、バスライン又は制御電子機器にアドレス指定線を接続することにも役立つ。交差点（３１４）は、第１、第２又は中間の層に配置され得る。しかしながら、コンポーネントを接続するのに使用されない伝導点を露出させないため、第３層（中間の層）に交差点を配置することが好ましい。
【００３２】
図４は、本発明の一実施例による多層経糸３０５の絶縁緯糸３４１の織り合わせを図示する織物３００の断面図を示し、この実施例は、図３に示される実施例と組み合わせて使用され得る。しかしながら、図３に関して記載される実施例の絶縁緯糸が、図４に示される態様とは異なる態様で織り合わせられ得ることは、留意されるべきである。図４に示される実施例では、電気絶縁緯糸３４１は、多層経糸３０５の第１表面３０１を交差し、例えば織物をしわにするとき、他の電気伝導経糸３１４、及び多層経糸３０５の第２表面３０２に位置される電気伝導緯糸３４０のゾーンと短絡するのを妨げるため、第１層３１０の電気伝導経糸３１１をカバーする。
【００３３】
図５に関して、本発明の他の実施例は、後述されるであろう。
【００３４】
図５は、織物５００の多層経糸５０５における電気伝導緯糸５４０の織り合わせを図示する織物５００の断面図を示す。第１層５１０の電気伝導経糸５１１が、３より多くの電気絶縁糸５１２によって、互いから電気的に切り離されること、及び第２層５２０が少なくとも一つの電気絶縁経糸５２２によって、お互いから電気的に切り離されること以外は、織物５００は、図１に関して記載される織物１００と等価である。織物５００は、多層経糸の第１表面５０１を規定する第１層５１０と、多層経糸の第２表面５０２を規定する第２層５２０と、第２層５２０から第１層５１０を電気的に隔離するために、第１層及び第２層５１０及び５２０の間に配置される電気絶縁糸５３２を有する第３層５３０とを有する多層経糸５０５を含む。電気伝導緯糸５４０は、第１表面５０１と第２表面５０２との間で織り合わされ、第１層５１０の選択された経糸Ｘ１の周りに配置されるループ５４５によって、第１表面５０１と交差し、第２層５２０の選択された経糸Ｘ２の周りに配置されるループ５４５によって、第２表面５０２と交差する。本実施例において、選択された経糸Ｘ１及びＸ２は、電気的に絶縁であり、これによって、第１及び第２層５１０及び５２０それぞれにおいて、第１電気接続ゾーン５１４及び５２４を規定する。
【００３５】
図６は、本発明の一実施例による、多層経糸５０５の絶縁緯糸５４１の織り合わせを図示する織物５００の断面図を示し、この実施例は、図５に示される実施例と組み合わせて使用され得る。しかしながら、図５に関して記載される実施例の絶縁緯糸が、図６に示される態様とは異なる態様で織り合わせられ得ることは、留意されるべきである。図６に示される実施例では、絶縁緯糸５４１は、第１表面５０１と第２表面５０２との間で織り合わされ、第１及び第２層の電気伝導経糸５１１及び５１２それぞれをカバーするため、第１及び第２表面と交差する。本実施例において、電気絶縁緯糸５４１は、第１及び第２層の電気伝導経糸間、第１及び第２層のいずれか一方における電気伝導経糸間、並びに電気伝導緯糸と第１及び第２層の電気伝導経糸との間における電気的短絡を防止するため、電気伝導経糸をカバーする。図５及び６に関して記載される構成は、織物の第１及び第２表面５０１及び５０２の両方に電子コンポーネントにおいて、第１及び第２電気接続ゾーンに接続するとき、両面ディスプレイの構築を可能にする。
【００３６】
電子コンポーネントは、図１及び２に関して上で述べた態様と類似の態様で、第１及び第２電気接続ゾーンに接続され得る。
【００３７】
図７に関して、本発明の他の実施例は、後述されるであろう。
【００３８】
図７は、織物７００の多層経糸７０５において、電気伝導緯糸７４０の織り合わせを図示する織物７００の断面図を示す。織物７００は、電気伝導経糸７１１及び７２１が、それぞれ３つの電気絶縁糸７１２及び７２２によって、それぞれ第１層７１０及び第２層７２０において、互いから電気的に隔離されること以外、図５及び６に関して記載される織物５００と等価である。電気伝導緯糸７４０は、多層経糸７０５の第１表面７０１及び第２表面７０２の間で織り合わされ、それぞれ、第１層７１０の電気伝導経糸Ｙ１を第２層７２０の電気伝導経糸Ｙ２に接続するために、第１及び第２層７１０及び７２０の電気伝導経糸Ｙ１及びＹ２周辺に配置されるループ７４５によって、第１及び第２表面７０１及び７０２と交差し、これによって、多層経糸７０５の第１表面７０１及び第２表面７０２の間のビア接続を規定する。電気絶縁緯糸７４１は、第１表面７０１と第２表面７０２との間で織り合わされ、図６に関して記載される態様と同様の態様で、それぞれ第１層７１０及び第２層７２０の電気伝導経糸をカバーするため、これらの表面と交差する。
【００３９】
図８に関して、本発明の他の実施例が、後述されるであろう。
【００４０】
図８は、本発明の一実施例による織物８００の概略の上面図を示し、経糸８１１、８１２及び絶縁緯糸８４１により形成される織物構造は、サテン（satin）又は綿繻子（sateen）である。本実施例において、２つの隣接する絶縁緯糸８４１の織り合わせは、互いに異なる。特にサテン織り構造は、５つの絶縁緯糸８４１の反復パターンを含み、図の左の４つの絶縁緯糸が、電気伝導経糸８１１をカバーするために織物８００の第１表面８０１と交差し、第５絶縁緯糸Ｚは、電気伝導経糸をカバーせず、これによって、織物８００の第１表面８０１において、第１電気接続ゾーン８１５を規定する。電気伝導緯糸は、図１又は５に関して記載される態様と同様の態様で多層経糸に織り合わされ得、これによって、織物８００の第１表面８０１の第１電気接続ゾーンを規定する。電子コンポーネントは、図１及び２に関して上記を述べたものと類似する第１及び第２電気接続ゾーンに接続され得る。
【００４１】
綿繻子織り構造が、平織り構造と組み合わせて布地全体又は布地の一部に対して使用され得る。
【００４２】
片面又は両面、交差点、及びビア接続において、電気接続ゾーンを有する織物を実施することが必要とされ得るので、上記の実施例に記載される全ての構成が、単一の織物内に含まれ得ることは留意されるべきである。
【００４３】
上記の実施例において、第１層における１より多くの電気伝導糸が、互いに隣接して配置されることもあり得、少なくとも一つの電気絶縁糸によって、第１層の他の隣接する電気伝導糸から電気的に分離されることもあり得ることに留意されるべきである。言い換えると、第１層の電気伝導糸の各々は、一つ以上の電気伝導糸からなり得る。
【００４４】
２つの隣接した電気伝導経糸を電気的に分離する絶縁緯糸の数は、上に記載される実施例において、任意に選択され、他の組み合わせが可能であることも理解されるべきである。織物の第１表面は、織物業界で一般的な用語を使用して織物の「表」面と呼び、一方、第２表面は、織物の「裏」面と呼び得ることは、理解されるべきである。代替として、第１表面は、布地の「上部」と呼び、第２表面が、布地の「下部」と呼ばれ得る。
【００４５】
多層経糸１０１が３より多くの層からなり得ることも理解されるべきである。
【００４６】
経糸及び緯糸の方向は、交換され得、これによって、３以上の層を有する多層緯糸と、多層緯糸の糸において、相互に織り合わされる電気伝導及び電気絶縁経糸を有する経糸とを含む織物を形成することにも留意されるべきである。
【００４７】
本発明は、全ての種類の電子及びフォトニック多層織物に対して適用可能である。特に本発明の織物が、柔らかい照明アプリケーション又は着用可能な光治療に対して使用され得る。
【００４８】
上記の本発明は、本発明の好ましい実施例に関連して記載されているが、いくつかの変更態様が、以下の請求項に記載の本発明の要旨を逸脱しない範囲で考えられることは、当業者にとって明白である。
【図１】
2011501787.tif 000003
【図２】
2011501787.tif 000004
【図３】
2011501787.tif 000005
【図４】
2011501787.tif 000006
【図５】
2011501787.tif 000007
【図６】
2011501787.tif 000008
【図７】
2011501787.tif 000009
【図８】
2011501787.tif 000010
【国際調査報告】
2011501787.tif 000011
2011501787.tif 000012
2011501787.tif 000013